(57)【要約】【課題】ズームモードとステップズームモードの設定を容易に行うことができる撮像装置を提供する。【解決手段】ズーム動作のモード設定を行うモード設定手段を備え、モード設定手段は、高速でズーム動作を行う高速モード、低速でズーム動作を行う低速モード、及び予め設定した複数の位置でズーム動作を停止するステップズームモードのモード設定が可能に構成されている。【選択図】図５
2009063663.tif 000002
【特許請求の範囲】
【請求項１】
ズームレンズを移動させて撮影倍率を変えるズーム機能を備えた撮像装置において、
ズーム動作のモード設定を行うモード設定手段を備え、
前記モード設定手段は、高速でズーム動作を行う高速モード、低速でズーム動作を行う低速モード、及び予め設定した複数の位置でズーム動作を停止するステップズームモードのモード設定が可能に構成されていることを特徴とする撮像装置。
【請求項２】
前記高速モード、前記低速モード、及び前記ステップズームモードを同時に表示手段に表示することを特徴とする請求項１に記載の撮像装置。
【請求項３】
前記モード設定手段は、ズーム位置を任意の位置に設定可能なユーザ設定モードにより設定を行う場合は、高速でズーム動作を行うことを特徴とする請求項１又は２に記載の撮像装置。
【請求項４】
ズームレンズを移動させて撮影倍率を変えるズーム機能を備えた撮像装置のズーム設定方法であって、
ズーム設定手段により、高速でズーム動作を行う高速モード、低速でズーム動作を行う低速モード、及び予め設定した複数の位置でズーム動作を停止するステップズームモードの何れかを選択してズーム設定を行うようにしたことを特徴とするズーム設定方法。
【発明の詳細な説明】
【技術分野】
【０００１】
本発明は、ディジタルカメラ等の撮像装置、及びズーム設定方法に関するものである。
【背景技術】
【０００２】
従来のカメラ装置においては、高速でズーム動作を行う高速ズームと低速でズーム動作を行う低速ズームモードとを備えたものが知られている（例えば、特許文献１）。
また、従来のカメラ装置においては、予め決められた複数の所定の位置において変倍を行うステップズーム等も知られている。
なお、他の先行文献としては、オートズームモード選択時でも特別の操作を要することなく随意にマニュアルズーム操作が可能となり、このマニュアルズームの状態から再びオートズームの状態への復帰が可能なオードズーム機能を有するカメラがある（特許文献３）。
【特許文献１】特開２００６−３０４００２公報
【特許文献２】特開２００３−６０９７０公報
【特許文献３】特許第３０８２００４号
【発明の開示】
【発明が解決しようとする課題】
【０００３】
しかしながら、従来のディジタルカメラでは、ズームモードのズーム速度の設定と、ステップズームの設定がそれぞれ別々の項目になっており、設定がわかりづらいという問題点があった。
また、従来のディジタルカメラでは、ユーザが好きなズーム位置を設定するユーザ設定モードにおいて指定された指定位置へ移動するときは、設定されているズーム速度により移動を行うようにしていた。このため、ズーム速度が低速に設定されている場合は移動が遅いという欠点があった。
本発明は上記した問題点を解決するためになされたものであり、ズームモードとステップズームモードの設定を容易に行うことができる撮像装置、及びズーム設定方法を提供することを目的とする。
また本発明はズーム速度が低速に設定されている場合でも、ユーザ設定モード時におけるズーム移動を高速で行うことができる撮像装置、及びズーム設定方法を提供することを目的とする。
【課題を解決するための手段】
【０００４】
上記目的を達成するため、請求項１に記載の本発明は、ズームレンズを移動させて撮影倍率を変えるズーム機能を備えた撮像装置において、ズーム動作のモード設定を行うモード設定手段を備え、前記モード設定手段は、高速でズーム動作を行う高速モード、低速でズーム動作を行う低速モード、及び予め設定した複数の位置でズーム動作を停止するステップズームモードのモード設定が可能に構成されていることを特徴とする。
また請求項２に記載の本発明は、前記高速モード、前記低速モード、及び前記ステップズームモードを同時に表示手段に表示することを特徴とする。
また請求項３に記載の本発明は、前記モード設定手段は、ズーム位置を任意の位置に設定可能なユーザ設定モードにより設定を行う場合は、高速でズーム動作を行うことを特徴とする。
また請求項４に記載の本発明は、ズームレンズを移動させて撮影倍率を変えるズーム機能を備えた撮像装置のズーム設定方法であって、ズーム設定手段により、高速でズーム動作を行う高速モード、低速でズーム動作を行う低速モード、及び予め設定した複数の位置でズーム動作を停止するステップズームモードの何れかを選択してズーム設定を行うようにしたことを特徴とする。
【発明の効果】
【０００５】
本発明によれば、ズームモード設定手段において、高速モードと、低速モードと、ステップズームモードの設定を行うことができるので、これらズームモードの設定を容易に且つ分かり易くすることができる。
【発明を実施するための最良の形態】
【０００６】
以下、図を参照して、本発明の実施の形態について説明する。
図１は、本発明の撮像装置の実施形態であるディジタルカメラの概観図であり、図１（ａ）はカメラ上面図、図１（ｂ）はカメラ正面図、図１（ｃ）はカメラ裏面図である。又、図２は、本実施の形態のディジタルカメラを機能ごとに示したブロック図である。
まず、図１、図２を用いて本実施の形態のディジタルカメラの動作を説明する。
図１、２において、鏡胴ユニット（鏡胴手段）７は、被写体の光学画像を取り込むズームレンズ７−１ａ及びズームモータ７−１ｂからなるズーム光学系７−１、フォーカスレンズ７−２ａ及びフォーカスモータ７−２ｂからなるフォーカス光学系７−２、絞り７−３ａ絞り３ｂからなる絞りユニット７−３、メカシャッタ７−４ａ、メカシャッタモータ７−４ｂからなるメカシャッタユニット７−４、これらの各モータを駆動するモータドライバ７−５からなっている。
【０００７】
操作キーユニットは、電池電源をＯＮ・ＯＦＦする電源ＳＷ１３と、ＺＯＯＭ・ＳＷ（ＷＩＤＥ）ＳＷ３と、ＺＯＯＭ・ＳＷ（ＴＥＬＥ）ＳＷ４と、セルフタイマ／削除ＳＷ・ＳＷ５と、ＭＥＮＵ・ＳＷ・ＳＷ６と、上／ストロボＳＷ・ＳＷ７と、右ＳＷ・ＳＷ８と、ＤＩＳＰＬＡＹ・ＳＷ・ＳＷ９と、下／マクロＳＷ・ＳＷ０１と、左／画像確認ＳＷ・ＳＷ１１と、ＯＫ・ＳＷ・ＳＷ１２と、レリーズキーＳＷ１、各撮影モードを指示するモードダイアルＳＷ２から構成される。
モータドライバ７−５は、リモコン受光部６への入力や、操作キーユニット（ＳＷ１−ＳＷ１３）の入力に基づいて、後述するデジタルスチルカメラプロセッサ１０４内のＣＰＵ(Central Processing Unit)１０４−３からの駆動指令により駆動制御される。
ＲＯＭ(Read Only Memory)１０８にはＣＰＵ１０４−３が解読可能なコードで記述された制御プログラム、制御パラメータが格納されている。ＲＯＭ１０８に書き換え可能なフラッシュＲＯＭを用いることで、制御プログラムや制御パラメータを変更することが可能になり、機能のアップデートが容易に行える。
【０００８】
ディジタルカメラの電源がオン状態になると、前記プログラムは、図示しないメインメモリにロードされ、ＣＰＵ１０４−３はそのプログラムに従って、装置各部の動作を制御するとともに、制御に必要なデータ等を一時的にＲＡＭ１０７、及びデジタルスチルカメラプロセッサ１０４内にあるローカルＳＲＡＭ(Static RAM)１０４−４に記録する。
ＣＣＤ(Charge Coupled Device)１０１は、撮影手段としての、光学画像を光電変換する固体撮像素子であり、フロントエンドＩＣ１０２は、画像ノイズ除去用二重サンプリングを行うＣＤＳ(Correlated Double Sampling)１０２−１、ゲイン調整を行うＡＧＣ（Automatic Gain Control）１０２−２、アナログ−ディジタル信号変換を行うＡ／Ｄ１０２−３、デジタルスチルカメラプロセッサ１０４内のＣＣＤ１制御ブロック１０４−１より垂直同期信号（以下、ＶＤ）、水平同期信号（ＨＤ）を供給されてＣＰＵ１０４−３により制御されるＣＣＤ１０１、フロントエンドＩＣ１０２の駆動タイミング信号を発生するＴＧ（Timing Generator）１０２−４を備える。
【０００９】
デジタルスチルカメラプロセッサ１０４は、フロントエンドＩＣ１０２の出力データにホワイトバランス設定やガンマ設定を行い、また前述したＶＤ信号、ＨＤ信号を供給するＣＣＤ１制御ブロック１０４−１、フィルタリング処理により輝度データ・色差データへの変換を行うＣＣＤ２制御ブロック１０４−２、前述した装置各部の動作を制御するＣＰＵ（制御手段）１０４−３、前述した制御に必要なデータ等を一時的に保管するローカルＲＡＭ１０４−４、パソコンなどの外部機器とＵＳＢ通信を行うＵＳＢ(Universal Serial Bus)制御ブロック１０４−５、シリアル通信を行うシリアル制御ブロック１０４−６、ＪＰＥＧ圧縮・伸張を行うＪＰＥＧコーデックブロック１０４−７、画像データのサイズを補完処理により拡大縮小するＲＥＳＩＺＥブロック１０４−８、画像データを液晶モニタやＴＶなどの外部表示機器に表示するためのビデオ信号に変換するＴＶ信号表示ブロック１０４−９、撮影された画像データを記録するメモリカードや、汎用のＰＣＭＣＩＡ(Personal Computer Memory Card International Association)カードやＣＦ（Compact Flash）、ＳＤ（Secure Digital）カードに対応しているＧＰＳカードなどの制御を行うメモリカードコントローラ１０４−１０を有する。
【００１０】
ＳＤＲＡＭ１０３は、前述したデジタルスチルカメラプロセッサ１０４で画像データに各種処理を施す際に画像データを一時的に記録する。記録されるデータは、例えばＣＣＤ１０１からフロントエンドＩＣ１０２を経由して取り込み、ＣＣＤ１信号処理ブロック１０４−１で、ホワイトバランス設定、ガンマ設定が行われた状態のＲＡＷ−ＲＧＢ画像データや、ＣＣＤ２制御ブロック１０４−２で、輝度データ・色差データ変換が行われた後のＹＵＶ画像データ、ＪＰＥＧコーデックブロック１０４−７で、ＪＰＥＧ圧縮が行われたＪＰＥＧ画像データなどである。
メモリカードスロット１２１は、着脱可能メモリカードや、ＧＰＳカードなどを装着するためのスロットである。内蔵メモリ１２０は、前述したメモリスロット１２１にメモリカードが装着されていない場合でも、撮影した画像データを記録できるようにするためのメモリである。
ＬＣＤドライバ１１１は、後述するＬＣＤモニタ１０を制御するドライブ回路であり、ＴＶ信号表示ブロック１０４−９から出力されたビデオ信号をＬＣＤモニタ１０に表示するための信号に変換する機能を有している。
ＬＣＤモニタ１０は、例えば撮影画像のプレビューを表示するモニタであって、撮影前に被写体の状態を監視したり、撮影した画像を確認したり、メモリカードや前述した内蔵メモリ１２０に記録した画像データを表示するのに用いる。
【００１１】
ビデオＡＭＰ１１８は、ＴＶ信号表示ブロック１０４−９から出力されたビデオ信号を、７５Ωインピーダンス変換するためのアンプであり、ビデオジャック１１９は、ＴＶなどの外部表示機器と接続するためのジャックである。ＵＳＢコネクタ１２２はパソコンなどの外部機器とシリアル接続を行うためのコネクタである。
シリアルドライバ回路１２３−１は、パソコンなどの外部機器とシリアル通信を行うために、前述したシリアルブロック１０４−６の出力信号を電圧変換するための回路であり、ＲＳ−２３２Ｃコネクタは、シリアル接続のためのコネクタである。
イーサネット（登録商標）接続回路または無線イーサネット（登録商標）回路１３０は、イーサネット（登録商標）接続のための回路であり、ＬＡＮコネクタ１３１は、ＬＡＮ接続のためのコネクタである。
ＳＵＢ−ＣＰＵ１０９は、ＲＯＭ及びＲＡＭをワンチップに内蔵したＣＰＵであって、操作キー部（ＳＷ１−１３）や、リモコン受光部６の出力信号をユーザの操作情報として前述したＣＰＵ１０４−３より出力されるカメラの状態を、後述するサブＬＣＤ１、ＡＦ  ＬＥＤ８、ストロボＬＥＤ９、ブザー１１３の制御信号に変換して出力する。
【００１２】
サブＬＣＤ１は、例えば、撮影可能枚数や、撮影モード（バルブモード）等の撮影条件を表示するための表示部であって、サブＬＣＤドライバ１１１は、前述したＳＵＢ−ＣＰＵ１０９の出力信号より前述したサブＬＣＤ１を駆動するためのドライブ回路である。
ＡＦ  ＬＥＤ８は、撮影時の合焦状態を表示するためのＬＥＤであり、ストロボＬＥＤ９は、ストロボ充電状態を表すためのＬＥＤである。
なお、このＡＦ  ＬＥＤ８と、ストロボＬＥＤ９は、メモリカードへのアクセス中であることなどを示すなど別の表示用途に使用してもよい。
操作キーユニット（ＳＷ１−１３）は、ユーザが操作するキー回路であり、リモコン受光部６は、ユーザが操作したリモコン送信器の信号の受信部である。
音声記録ユニット１１５は、ユーザが音声信号を入力するマイク１１５−３、入力された音声信号を増幅するマイクＡＭＰ１１５−２、増幅された音声信号を増幅し、スピーカを駆動するためのオーディオＡＭＰ１１６−２、音声信号を出力するスピーカ１１６−３からなる。
方向センサユニット１１７は、方向や加速度などを検出して出力する加速度・ジャイロセンサ１１７−２と、センサから出力されるアナログ信号をディジタル信号に変換するＡ／Ｄ変換回路１１７−１からなる。
【００１３】
図３は本実施の形態のディジタルカメラのソフトウェアブロック図である。
この図３に示すように、本実施の形態のディジタルカメラは、全体をコントロールする全体コントロール部１１、操作キーなどの操作を検出する操作検出部１２、ズームレンズ７−１等のズーム制御を行うズームコントロール部１３、及び撮像制御を行う撮像コントロール部１４により構成される。
全体コントロール部１１は、操作検出部１２からキー情報が送られてきたときは、その操作キー情報を判断して各種動作を行う。例えば、全体コントロール部１１は、ズーム関連の処理が必要な場合は、ズームコントロール部１３へズーム命令を送り、ズームコントロール部１３からはズーム結果が送られてくる。また撮像関連の処理が必要な場合は撮像コントロール部１４へ撮像命令を送り、撮像コントロール部１４からは撮像結果が送られてくる。
【００１４】
図４はズーム命令の一構成を示した図であり、全体コントロール部１１からズームコントロール部１３へのズーム命令は、ズーム動作に応じて各種パラメータをセットする。
設定パラメータは、ズームの方向（テレ方向、ワイド方向、指定ズーム位置）、ステップモードのＯＮ、ＯＦＦ（ステップズームするか、しないか）ズーム速度（低速か高速）となっている。
図５は、本実施の形態のディジタルカメラにおいてズームモードを設定するズーム設定画面の一例を示した図である。
この図５に示すように、ズームモードはカメラの設定メニュー画面のズーム設定の項目から設定できる。そして、本実施の形態では、このズーム設定画面の中から高速ズーム、低速ズーム、ステップズームを選択できるようになっている点に特徴がある。なお、設定メニュー画面は、表示手段であるＬＣＤモニタ１０に表示される。
【００１５】
高速ズームに設定した場合はズームが高速で動作する。低速ズームに設定した場合はズームが低速で動作する。またステップズームに設定した場合は、図１に示したＺＯＯＭ・ＳＷ（ＷＩＤＥ）ＳＷ３、あるいはＺＯＯＭ・ＳＷ（ＴＥＬＥ）ＳＷ４が押されたとき、予め決められた次のステップまでズームするモードである。
例えば、ズーム焦点距離が２８ｍｍ〜２００ｍｍあるカメラの場合、高速ズーム、低速ズームでは、２８ｍｍ〜２００ｍｍの間はＺＯＯＭ・ＳＷの操作キーが押されている期間動作し、ステップズームの場合は、一度の操作で予め決められているポイント（２８ｍｍ、３５ｍｍ、５０ｍｍ、８５ｍｍ、１０５ｍｍ、１３５ｍｍ、２００ｍｍ）で止まる動作をする。
また、本実施の形態のディジタルカメラにおいては、各撮影モードを指示するモードダイアルＳＷ２の中にユーザ設定モードが設けられている。ユーザ設定モードでは、ユーザの好きなズーム位置を設定できるようになっている。そして、本実施の形態では、このユーザ設定モードにおいて設定したズーム位置に移動するときのズーム速度が常に高速となるようにしている。これにより、ユーザ設定モードにおける待ち時間の短縮を図ることができる。
【００１６】
以下、各ズーム設定時にズーム設定手段として機能する全体コントロール部１１が実行する処理動作について説明する。なお、以下に説明する処理動作においては、ＺＯＯＭ・ＳＷ（ＴＥＬＥ）ＳＷ４が押されたときの動作を例に挙げて説明する。
図６は高速ズームが設定されているときの処理動作を示したフローチャートである。
この場合、全体コントロール部１１は、ＺＯＯＭ・ＳＷ（ＴＥＬＥ）ＳＷ４（以下、「テレＳＷ」と称する）が押されたか否かの判別を行い（Ｓ１）、テレＳＷが押されたことを検出したときは（Ｓ１で「ＹＥＳ」）、ズームコントロール部１３にズーム移動命令を送信する（Ｓ２）。この場合は高速ズームモードなので、ズーム命令のパラメータは、方向はテレ、ズーム速度は高速、ステップズームはＯＦＦとなる。
次に、テレＳＷが離されたか否かの判別を行い（Ｓ３）、テレＳＷが離されたことを検出したときは（Ｓ３で「ＹＥＳ」）、ズームコントロール部１３にズーム停止命令を送信して（Ｓ４）、処理を終える。
【００１７】
図７は低速ズームが設定されているときの処理動作を示したフローチャートである。
この場合、全体コントロール部１１は、テレＳＷが押されたか否かの判別を行い（Ｓ１１）、テレＳＷが押されたことを検出したときは（Ｓ１１で「ＹＥＳ」）、ズームコントロール部１３にズーム移動命令を送信する（Ｓ１２）。この場合は低速ズームモードなので、ズーム命令のパラメータは、方向はテレ、ズーム速度は低速、ステップズームはＯＦＦとなる。
次に、テレＳＷが離されたか否かの判別を行い（Ｓ１３）、テレＳＷが離されたことを検出したときは（Ｓ１３で「ＹＥＳ」）、ズームコントロール部１３にズーム停止命令を送信して（Ｓ１４）、処理を終える。
【００１８】
図８は、ステップズームが設定されているときの処理動作を示したフローチャートである。
この場合、全体コントロール部１１は、テレＳＷが押されたか否かの判別を行い（Ｓ２１）、テレＳＷが押されたことを検出したときは（Ｓ２１で「ＹＥＳ」）、ズームコントロール部１３にズーム移動命令を送信して（Ｓ２２）、処理を終える。この場合はステップズームモードなので、ズーム命令のパラメータは、方向はテレ、ステップズームはＯＮ、ズーム速度は低速で動く必要がないので高速となる。
図９はユーザ設定モード時の処理動作を示したフローチャートである。
この場合、全体コントロール部１１は、モードダイアルＳＷ２がユーザ設定モードになったか否かの判別を行い（Ｓ３１）、モードダイアルＳＷ２がユーザ設定モードになったことを検出したときは（Ｓ３１で「ＹＥＳ」）、ズームコントロール部１３にズーム移動命令を送信して（Ｓ３２）、処理を終える。この場合は、ユーザ設定モードなので、ズーム命令のパラメータは、方向はユーザが設定したユーザ指定位置、ステップズームはＯＦＦ、ズーム速度は高速となる。
【図面の簡単な説明】
【００１９】
【図１】本発明の撮像装置の実施形態であるディジタルカメラの概観図である。
【図２】本実施の形態のディジタルカメラを機能ごとに示したブロック図である。
【図３】本実施の形態のディジタルカメラのソフトウェアブロック図である。
【図４】ズーム命令の構成を示した図である。
【図５】本実施の形態のディジタルカメラにおいてズームモードを設定するズーム設定画面の一例を示した図である。
【図６】高速ズームが設定されているときの処理動作を示したフローチャートである。
【図７】低速ズームが設定されているときの処理動作を示したフローチャートである。
【図８】ステップズームが設定されているときの処理動作を示したフローチャートである。
【図９】ユーザ設定モード時の処理動作を示したフローチャートである。
【符号の説明】
【００２０】
１０…ＬＣＤモニタ、１１…全体コントロール部、１２…操作検出部、１３…ズームコントロール部、１４…撮像コントロール部、ＳＷ２…モードダイアル、ＳＷ３…ＺＯＯＭ・ＳＷ（ＷＩＤＥ）、ＳＷ４…ＺＯＯＭ・ＳＷ（ＴＥＬＥ）
【図１】
2009063663.tif 000003
【図２】
2009063663.tif 000004
【図３】
2009063663.tif 000005
【図４】
2009063663.tif 000006
【図５】
2009063663.tif 000007
【図６】
2009063663.tif 000008
【図７】
2009063663.tif 000009
【図８】
2009063663.tif 000010
【図９】
2009063663.tif 000011